(57)【要約】      （修正有）【課題】軽量で携帯しやすく多機能でファッションセンス性に富む飲料箱を提供する。【解決手段】流体保存体と、主箱体と、追加箱体と、を備える。流体保存体は、注入ヘッドと流体出力部材２２０を有する。主箱体１００は、流体保存体を収容し、第１の係止口を有する第１の側面１１０と、第１の側面に接続され、第２の係止口を有する頂面と、第１の側面に接続される底面と、を含み、注入ヘッドが第２の係止口から突出し、流体出力部材が第１の係止口から露出する。追加箱体３００は、注入ヘッドを係止する第３の係止口を有する底部を有する。【選択図】図１
0003209514.tif 000002
【実用新案登録請求の範囲】
【請求項１】
注入ヘッドと流体出力部材を有する流体保存体と、
第１の係止口を有する第１の側面と、前記第１の側面に接続され、第２の係止口を有する頂面と、前記第１の側面に接続される底面と、を含み、前記注入ヘッドが前記第２の係止口から突出し、前記流体出力部材が前記第１の係止口から露出するように構成される、前記流体保存体を収容する主箱体と、
前記注入ヘッドを係止する第３の係止口を有する底部を有する追加箱体と、
を備える飲料箱。
【請求項２】
前記主箱体は第２の側面を更に含み、前記第１の側面と前記第２の側面は、それぞれ前記底面の対向する両側に接続され、前記第２の側面は、前記底面に接続される外側部分と、前記外側部分に折り重ねて接続される内側部分と、を有することを特徴とする請求項１に記載の飲料箱。
【請求項３】
前記主箱体は２つの内側壁を更に含み、前記２つの内側壁は、それぞれ前記第１の側面に接続されており、何れも前記第２の側面の前記内側部分と外側部分との間の隙間に挿着する折曲部を有することを特徴とする請求項２に記載の飲料箱。
【請求項４】
前記主箱体は第３の側面と第４の側面を更に含み、前記第３の側面と第４の側面は、それぞれ前記頂面に接続されており、それぞれ前記２つの内側壁と前記底面との間の隙間に挿着する２つの折曲部を有することを特徴とする請求項３に記載の飲料箱。
【請求項５】
前記主箱体は２つの延出部を更に含み、前記２つの延出部は、それぞれ前記底面の別の対向する両側から延出して、前記追加箱体の上で結合することを特徴とする請求項４に記載の飲料箱。
【請求項６】
前記２つの延出部は、その一方の上縁に開口とロック部材を有し、他方の上縁に前記ロック部材に係止される別の開口を有することを特徴とする請求項５に記載の飲料箱。
【請求項７】
前記主箱体は一体成形されることを特徴とする請求項１に記載の飲料箱。
【請求項８】
前記流体保存体は飲料保温保存袋であり、前記主箱体と前記追加箱体が、何れも紙箱であることを特徴とする請求項１に記載の飲料箱。
【請求項９】
前記流体出力部材と前記注入ヘッドが、何れもストッパを有することを特徴とする請求項１に記載の飲料箱。
【請求項１０】
前記第１の係止口、第２の係止口及び第３の係止口が、何れも互いに連結する弧状のノッチと凹弧状の翼を有することを特徴とする請求項１に記載の飲料箱。
【考案の詳細な説明】
【技術分野】
【０００１】
本考案は、箱体に関し、特に、飲料箱に関する。
【背景技術】
【０００２】
コーヒーは、焙煎されたコーヒー豆により作られた飲料である。現在、コーヒーは、人間社会で最も流行っている飲料の１つである。
【０００３】
しかしながら、消費者にとっては、友達と集まったり、ピクニック又は会議をしたりするような、コーヒーを持ち帰りする必要がある場合、常に重い持ち帰り用の容器を利用するが、非常に不便である。
【考案の概要】
【考案が解決しようとする課題】
【０００４】
本考案は、背景技術の問題を解決するために、新規な飲料箱を提供する。
【課題を解決するための手段】
【０００５】
本考案の一実施例において、飲料箱は、注入ヘッドと流体出力部材を有する流体保存体と、第１の係止口を有する第１の側面と、前記第１の側面に接続され、第２の係止口を有する頂面と、前記第１の側面に接続される底面と、を含み、前記注入ヘッドが前記第２の係止口から突出し、前記流体出力部材が前記第１の係止口から露出し、前記流体保存体を収容する主箱体と、前記注入ヘッドを係止する第３の係止口を有する底部を有する追加箱体と、を備える。
【０００６】
本考案の一実施例において、前記主箱体は第２の側面を更に含み、前記第１の側面と前記第２の側面は、それぞれ前記底面の対向する両側に接続され、前記第２の側面は、前記底面に接続される外側部分と、前記外側部分に折り重ねて接続される内側部分と、を有する。
【０００７】
本考案の一実施例において、前記主箱体は２つの内側壁を更に含み、前記２つの内側壁は、それぞれ前記第１の側面に接続されており、何れも前記第２の側面の前記内側部分と外側部分との間の隙間に挿着する折曲部を有する。
【０００８】
本考案の一実施例において、前記主箱体は第３の側面と第４の側面を更に含み、前記第３の側面と第４の側面は、それぞれ前記頂面に接続されており、それぞれ前記２つの内側壁と前記底面との間の隙間に挿着する２つの折曲部を有する。
【０００９】
本考案の一実施例において、前記主箱体は２つの延出部を更に含み、前記２つの延出部は、それぞれ前記底面の別の対向する両側から延出して、前記追加箱体の上で結合する。
【００１０】
本考案の一実施例において、前記２つの延出部は、その一方の上縁に開口とロック部材を有し、他方の上縁にロック部材に係止される別の開口を有する。
【００１１】
本考案の一実施例において、前記主箱体は一体成形される。
【００１２】
本考案の一実施例において、前記流体保存体は飲料保温保存袋であり、前記主箱体と前記追加箱体が、何れも紙箱である。
【００１３】
本考案の一実施例において、前記流体出力部材と前記注入ヘッドが、何れもストッパを有する。
【００１４】
本考案の一実施例において、前記第１の係止口、第２の係止口及び第３の係止口が、何れも互いに連結する弧状のノッチと凹弧状の翼を有する。
【考案の効果】
【００１５】
上記をまとめると、本考案の技術案は、従来の技術と比べると、著しいメリットと有利な効果を有する。上記をまとめると、本考案の飲料箱は、軽量で、携帯しやすく、多機能で且つファッションセンス性に富むこと等の多くのメリットを有する。
【図面の簡単な説明】
【００１６】
本考案の上記及び他の目的、特徴、メリット及び実施例をより分かりやすくするために、下記で、添付図面に合わせて以下の通りに詳しく説明する。
【図１】本考案の一実施例に係る飲料箱の斜視図である。
【図２】本考案の一実施例に係る流体保存体の斜視図である。
【図３】本考案の一実施例に係る主箱体の平面展開図である。
【図４】本考案の一実施例に係る主箱体の折り畳み状態の斜視図である。
【図５】本考案の一実施例に係る主箱体の別の折り畳み状態の斜視図である。
【図６】本考案の一実施例に係る主箱体が流体保存体を収容する場合の斜視図である。
【図７】本考案の一実施例に係る追加箱体が開かれた場合の斜視図である。
【図８】本考案の一実施例に係る飲料箱の２つの延出部が結合していない場合の斜視図である。
【考案を実施するための形態】
【００１７】
以下、実施形態によって上記の説明を詳しく記述し、本考案の技術案を更に解釈する。
【００１８】
本考案の記述をより詳しく完備化するために、添付図面及び下記の各種の実施例を参照されたい。図面における同じ番号は、同じ又は類似な構成要素を示す。一方、本考案を必要以上に制限しないように、周知の構成要素と工程は、実施例において説明されていない。
【００１９】
実施形態と実用新案登録請求の範囲において、正文で冠詞を特別に限定しない限り、「一」と「前記」は、一般的に、単一又は複数を指す。
【００２０】
本考案の技術的態様は、コンビニエンスストアにより提供されるコーヒーの持ち帰りに適用され、又は各種の適合な技術部分に広く使用される飲料箱である。以下、図１〜図８に合わせて、飲料箱の具体的な実施形態を説明する。
【００２１】
図１を参照されたい。図１は、本考案の一実施例に係る飲料箱１０の斜視図である。図１に示すように、飲料箱１０は、主箱体１００と、追加箱体３００と、を備える。一実施例において、組立しやすくして重量を軽減させるために、主箱体１００と追加箱体３００は、何れも紙箱である。構造上、追加箱体３００は、主箱体１００に取り外し可能に設けられる。主箱体１００は、流体保存体２００（図２に示す）を収容する。流体保存体２００の流体出力部材２２０は、主箱体１００の第１の側面１１０から外に露出する。
【００２２】
図１において、主箱体１００は、２つの延出部１８０、１８２を更に含む。２つの延出部１８０、１８２は、それぞれ主箱体１００の底面から延出して、追加箱体３００の上で結合する。これにより、２つの延出部１８０、１８２は、主箱体１００と追加箱体３００を保護することができる。
【００２３】
なお、延出部１８２の上縁に、開口１８３とロック部材１８５がある。延出部１８０の上縁に、延出部１８２のロック部材１８５に係止される別の開口１８１を有する。これにより、２つの延出部１８０、１８２は、取り外し可能に係止できるだけでなく、その上縁における２つの開口１８１、１８３を取っ手としてもよい。
【００２４】
主箱体１００における流体保存体２００を詳しく説明するために、以下、図２に合わせて説明する。図２を参照されたい。図２は、本考案の一実施例に係る流体保存体２００の斜視図である。図２に示すように、流体保存体２００は、流体出力部材２２０と注入ヘッド２３０を有する。一実施例において、流体保存体２００は、飲料保温保存袋（例えば、二層のアルミニウム箔保温袋）であり、袋体の軽薄且つ可変形という特性によって、主箱体１００に収容しやすい。使用時に、飲料は、注入ヘッド２３０から流れ込み、流体出力部材２２０により制御されて流出する。
【００２５】
構造上、注入ヘッド２３０は、蓋体２３４を有する蓋型の注入口であってもよい。飲料が流体保存体２００に注入された後に、飲料が漏れないように、蓋体２３４を注入ヘッド２３０に被せる。また、注入ヘッド２３０は、主箱体１００の頂面１５０における第２の係止口１５１（図３に示す）から主箱体１００の内部に滑り込まないようにするためのストッパ２３２を有する。なお、追加箱体３００の底部３６０は、注入ヘッド２３０を係止するための第３の係止口３６１（図７に示す）を有する。これにより、追加箱体３００は、主箱体１００の上に取り外し可能に設けられる。
【００２６】
構造上、流体出力部材２２０は、主箱体１００の第１の側面１１０における第１の係止口１１１（図３に示す）から主箱体１００の内部に滑り込まないようにするためのストッパ２２２を有する、蛇口、吐水バルブ又は他の装置であってもよい。
【００２７】
一体成形された主箱体１００の具体的な構造を詳しく説明するために、以下、図３〜図５に合わせて説明する。図３は、本考案の一実施例に係る主箱体１００の平面展開図である。図４は、本考案の一実施例に係る主箱体１００の折り畳み状態の斜視図である。図５は、本考案の一実施例に係る主箱体１００の別の折り畳み状態の斜視図である。
【００２８】
先ず、図３を参照されたい。主箱体１００は、第１の側面１１０と、第２の側面１２０と、第３の側面１３０と、第４の側面１４０と、頂面１５０と、底面１６０と、を含む。第１の側面１１０と第２の側面１２０がそれぞれ底面１６０の対向する両側に接続される。２つの延出部１８０、１８２が底面１６０の別の対向する両側から延出する。第３の側面１３０と第４の側面１４０はそれぞれ頂面１５０に接続される。
【００２９】
図３において、第１の側面１１０における第１の係止口１１１は、互いに連結する弧状のノッチ１１２と凹弧状の翼１１３を有する。凹弧状の翼１１３は、第１の側面１１０に可動に接続され、且つその中央に凹弧状を有する。同様に、頂面１５０における第２の係止口１５１は、互いに連結する弧状のノッチ１５２と凹弧状の翼１５３を有する。凹弧状の翼１５３は、頂面１５０に可動に接続され、且つその中央に凹弧状を有する。
【００３０】
第２の側面１２０は、外側部分１２２と内側部分１２１を有する。内側部分１２１は、外側部分１２２に接続され、シャックル１２５を有する。外側部分１２２は、底面１６０に接続され、ラッチノッチ１２４を有する。内側部分１２１が外側部分１２２に折り重ねられる場合、シャックル１２５をラッチノッチ１２４に挿入することで、第２の側面１２０が固定される。固定された第２の側面１２０は、図４に示す。
【００３１】
また、図３を参照されたい。主箱体１００は、それぞれ第１の側面１１０に接続された２つの内側壁１７０、１７２を更に含む。内側壁１７０は、第２の側面１２０の内側部分１２１と外側部分１２２との間の隙間１２３（図４に示す）に挿着して、内側壁１７０を第１の側面１１０と第２の側面１２０との間に固定するための、折曲部１７１を有する。相似に、内側壁１７２は、第２の側面１２０の内側部分１２１と外側部分１２２との間の隙間１２３に挿着して、内側壁１７２を第１の側面１１０と第２の側面１２０との間に固定するための、折曲部１７４を有する。これにより、図２に示す流体保存体２００を入れるために、第１の側面１１０、内側壁１７０、第２の側面１２０及び内側壁１７２は、収容空間になるように囲む。
【００３２】
図４において、第３の側面１３０は、内側壁１７０と底面１６０との間の隙間１７６に挿着するための折曲部１３２を有する。第４の側面１４０は、内側壁１７２と底面１６０との間の隙間１７５に挿着するための折曲部１４２を有する。これにより、図５に示すように、頂面１５０は、上記の収容空間に安定的に被せることができる。
【００３３】
図６は、本考案の一実施例に係る主箱体１００が流体保存体２００を収容する場合の斜視図である。図６に示すように、流体出力部材２２０が第１の係止口１１１から露出し、注入ヘッド２３０が第２の係止口１５１から突出する。
【００３４】
追加箱体３００の具体的な構造を詳しく説明するために、以下、図７に合わせて説明する。図７は、本考案の一実施例に係る追加箱体３００が開かれた場合の斜視図である。図７に示すように、追加箱体３００の上蓋３５０が開かれる。上蓋３５０を閉じると、上蓋３５０のロック部材３５２は、追加箱体３００の側面３３０のラッチノッチ３３２と係止することに用いられる。
【００３５】
図７において、追加箱体３００の底部３６０は、注入ヘッド２３０を係止するための第３の係止口３６１を有する。構造上、第３の係止口３６１は、互いに連結する弧状のノッチ３６２と凹弧状の翼３６３を有する。凹弧状の翼３６３は、底部３６０に可動に接続され、且つその中央に凹弧状を有する。図８に示すように、追加箱体３００は、注入ヘッド２３０を介して主箱体１００に係止される場合、主箱体１００の上に設けられる。図８は、本考案の一実施例に係る飲料箱１０の２つの延出部１８０、１８２が結合していない場合の斜視図である。
【００３６】
例として、飲料箱１０は、コーヒー持ち帰り箱とすることができる。流体保存体２００は、液体のコーヒーを保存することができる。追加箱体３００は、糖袋、クリーム、攪拌棒、紙コップ等の物品を入れることができるが、本考案はこれに制限されない。実際上、流体保存体２００は、お茶、水、スープ、ジュース類、豆乳類、牛乳類、お酒、お酢飲料等の飲み物を保存することもできる。
【００３７】
上記をまとめると、本考案の飲料箱１０は、軽く、携帯しやすく、多機能で且つファッションセンス性に富むこと等の多くのメリットを有する。
【００３８】
本考案の実施形態を前述の通りに開示したが、これは、本考案を限定するものではなく、当業者であれば、本考案の精神と範囲から逸脱しない限り、多様の変更や修正を加えることができ、したがって、本考案の保護範囲は、後の実用新案登録請求の範囲で指定した内容を基準とする。
【符号の説明】
【００３９】
下記の符号の説明は、本考案の上記又はその他の目的、特徴、利点及び実施例をより分りやすくするためのものである。
１０：飲料箱
１００：主箱体
１１０：第１の側面
１１１：第１の係止口
１１２、１５２、３６２：弧状のノッチ
１１３、１５３、３６３：凹弧状の翼
１２０：第２の側面
１２１：内側部分
１２２：外側部分
１２３：隙間
１２４、３３２：ラッチノッチ
１２５：シャックル
１３０：第３の側面
１３２、１４２、１７１、１７４：折曲部
１４０：第４の側面
１５０：頂面
１５１：第２の係止口
１６０：底面
１７０、１７２：内側壁
１７５、１７６：隙間
１８０、１８２：延出部
１８１、１８３：開口
１８５、３５２：ロック部材
２００：流体保存体
２２０：流体出力部材
２２２、２３２：ストッパ
２３０：注入ヘッド
２３４：蓋体
３００：追加箱体
３３０：側面
３５０：上蓋
３６０：底部
３６１：第３の係止口
【図１】
0003209514.tif 000003
【図２】
0003209514.tif 000004
【図３】
0003209514.tif 000005
【図４】
0003209514.tif 000006
【図５】
0003209514.tif 000007
【図６】
0003209514.tif 000008
【図７】
0003209514.tif 000009
【図８】
0003209514.tif 000010